(57)【特許請求の範囲】
【請求項１】
光ファイバーアダプターと係合する弾性係合部を有するプラグ本体を含む光ファイバーアダプターと合わせるための高密度光ファイバー接続用の光ファイバープラグであって、
前記プラグ本体はさらに前記弾性係合部をトリガーするとプラグ本体と前記光ファイバーアダプターとを離脱させるとともにトリガーされる弾き出しアセンブリーを有し、前記弾き出しアセンブリーは前記プラグ本体内に設置された打ち上げばねと弾き出しロッドを含み、前記弾き出しロッドは弾き出しアセンブリーがトリガーされると前記プラグ本体内から弾き出され、前記弾き出しロッドは前記光ファイバーアダプターに押し当てて前記プラグ本体を光ファイバーアダプター内から弾き出すことを特徴とする高密度光ファイバー接続用の光ファイバープラグ。
【請求項２】
前記プラグ本体はベースとベースの末端に接続されたフットストックとを含み、前記ベースはその長手方向に沿って延びる第１のキャビティと第２のキャビティを有し、前記第１のキャビティと第２のキャビティは並列して設置され、前記ベースの先端の端面には、それぞれ前記第１のキャビティと第２のキャビティに対面する第１の貫通孔と第２の貫通孔を有し、前記第１のキャビティは挿入コアアセンブリーを収納し、前記挿入コアアセンブリーの挿入コアは前記第１の貫通孔から伸び出し、第２のキャビティは前記弾き出しアセンブリーを収納し、前記弾き出しロッドは前記弾き出しアセンブリーがトリガーされると、前記第２の貫通孔から弾き出されることを特徴とする請求項１に記載の高密度光ファイバー接続用の光ファイバープラグ。
【請求項３】
前記弾性係合部は、前記第２のキャビティの上方に位置し、前記弾性係合部は対向して設置された２つの弾性片持梁を含み、前記弾性片持梁の末端には斜面付き突起を有し、前記弾き出しアセンブリーはさらに前記弾き出しロッドと一体に接続する制御ロッドを含み、前記制御ロッドは２つの前記弾性片持梁の間に位置し、前記制御ロッドは前記制御ロッドの長手方向に垂直する横ロッドを有し、前記横ロッドは前記弾性片持梁の上方に押さえるように配置され、前記制御ロッドを押さえる時、前記弾性片持梁は下に押さえられ、前記弾性係合部と前記光ファイバーアダプターとが離脱することを特徴とする請求項２に記載の高密度光ファイバー接続用の光ファイバープラグ。
【請求項４】
前記打ち上げばねの一方の端は前記フットストックに押し当て、他方の端は前記弾き出しロッドに押し当て、前記弾き出しロッド上に係止部を有し、前記第２のキャビティの上壁にはストッパ部及び前記ストッパ部の前方に位置するリミットスライド溝を有し、前記係止部は前記ストッパ部に係止され、前記打ち上げばねは前記弾き出しロッドと前記フットストックとの間に圧縮され、前記制御ロッドを押さえる時、前記弾き出しロッドは下に向かって前記係止部を前記ストッパ部から離脱させ、前記弾き出しロッドは前記ばねの作用で前方に弾き出され、前記係止部は前記リミットスライド溝に滑り込むことを特徴とする請求項３に記載の高密度光ファイバー接続用の光ファイバープラグ。
【請求項５】
前記係止部の前記ストッパ部に対向している側は斜面であることを特徴とする請求項４に記載の高密度光ファイバー接続用の光ファイバープラグ。
【請求項６】
前記挿入コアアセンブリーは挿入コア調整ばねを含み、前記挿入コア調整ばねは挿入コアと前記フットストックとの間に位置し、前記挿入コア調整ばねは前記挿入コアに挿入された光ファイバーの外部を囲み覆うことを特徴とする請求項２〜５のいずれかに記載の高密度光ファイバー接続用の光ファイバープラグ。
【請求項７】
前記フットストックは前記ベースと係合され、前記フットストック上に逆係合部が設置され、前記ベース上に前記逆係合部と合わせる係合部が設けられることを特徴とする請求項６に記載の高密度光ファイバー接続用の光ファイバープラグ。
【請求項８】
前記フットストックの先端は前方に延びる延長部を有し、前記延長部の先端には挿入コア調整ばねと合わせるばね座が設置されることを特徴とする請求項７に記載の高密度光ファイバー接続用の光ファイバープラグ。
【発明の詳細な説明】
【技術分野】
【０００１】
本発明は、光通信分野の物理的な接続技術に関し、更に詳細には、高密度光ファイバー接続用の光ファイバープラグに関する。
【背景技術】
【０００２】
インターネットと無線技術は、情報の相互接続能力を著しく増強させており、これらの技術は全世界で指数関数的に増加し、数十億分のユーザが生み出すデータ量をサポートする必要があり、数十億分のデジタルデータの全世界の範囲での転送は、交換機、長距離光ファイバー、メトロポリタン・エリア・ネットワーク及び他の様々のアクセス技術により実現される。光ファイバーと光ファイバーとの接続も光ファイバーと設備との接続も何れもコネクターにより実現され、情報相互接続の爆発的な増加につれて、光ファイバー接続の密度に対する要求が高まっており、即ち、単位体積内において、もっと多い本数の光ファイバー接続を実現する必要がある。
【０００３】
光ファイバーの直径が非常に小さいので、保護層を加えても、直径は依然として非常に小さく、断面積が相対的に小さい光ケーブル中には数百本の光ファイバーを置いてもよいが、コネクター側において、これらの光ファイバーは占用空間を２０〜５０倍以上乃至これ以上に増大させる。光ファイバーコネクターの体積は少なくとも指で掴むことができるほどの大きさであり、また、十分に安定した光結合と保持装置も一定の空間を占用し、通常、接続密度を増加させる方式は複数本の光ファイバーを１つのベースピンに組み合わせることであるが、この方式はジャンプが必要な場合、特にユーザ端末に近い応用に適しない。それらのジャンプが必要な高密度光ファイバー接続の場合、光ファイバーコネクターの光ファイバープラグの幾何寸法のみを縮小することにより高度の光ファイバー接続に適応させれば、操作に多大な面倒をもたらし、僅かな不注意であっても隣接する光ファイバープラグに影響し、例えば、光ファイバープラグを抜き出す時、プラグの体積が小さいので、操作しにくい一方、隣接する光ファイバープラグに誤って接触して、隣接する光ファイバープラグの緩みを招来する。
【発明の概要】
【発明が解決しようとする課題】
【０００４】
本発明が解決しようとする技術課題は、既存の技術が光ファイバープラグの高密度光ファイバー接続を満足できないという欠陥に対して、高密度光ファイバー接続を実現できる光ファイバープラグを提供することである。
【課題を解決するための手段】
【０００５】
本発明がその技術課題を解決するために採用する技術案は、光ファイバーアダプターと合わせるための高密光ファイバー接続用の光ファイバープラグであって、前記光ファイバープラグはプラグ本体を含み、前記プラグ本体は前記光ファイバーアダプターと係合する弾性係合部を有し、前記プラグ本体はさらに前記弾性係合部をトリガーするとプラグ本体と前記光ファイバーアダプターとを離脱させるとともにトリガーされる弾き出しアセンブリーを有し、前記弾き出しアセンブリーは前記プラグ本体内に設置された打ち上げばねと弾き出しロッドを含み、前記弾き出しロッドは弾き出しアセンブリーがトリガーされると、前記プラグ本体から弾き出され、前記弾き出しロッドは前記光ファイバーアダプター上に押し当てて前記プラグ本体を光ファイバーアダプター内から弾き出す。
【０００６】
本発明の前記高密度光ファイバー接続用の光ファイバープラグにおいて、前記プラグ本体はベースとベースの末端に接続されたフットストックとを含み、前記ベースはその長手方向に沿って延びる第１のキャビティと第２のキャビティを有し、前記第１のキャビティと第２のキャビティは並列して設置され、前記ベース先端の端面は、それぞれ前記第１のキャビティと第２のキャビティに対面する第１の貫通孔と第２の貫通孔を有し、前記第１のキャビティは挿入コアアセンブリーを収納し、前記挿入コアアセンブリーの挿入コアは前記第１の貫通孔から伸び出し、第２のキャビティは前記弾き出しアセンブリーを収納し、前記弾き出しロッドは前記弾き出しアセンブリーがトリガーされると、前記第２の貫通孔から弾き出される。
【０００７】
本発明の前記高密度光ファイバー接続用の光ファイバープラグにおいて、前記弾性係合部は、前記第２のキャビティの上方に位置し、前記弾性係合部は対向して設置された２つの弾性片持梁を含み、前記弾性片持梁の末端は斜面付き突起を有し、前記弾き出しアセンブリーはさらに前記弾き出しロッドと一体に接続する制御ロッドを含み、前記制御ロッドは２つの前記弾性片持梁の間に位置し、前記制御ロッドは前記制御ロッドの長手方向に垂直する横ロッドを有し、前記横ロッドは前記弾性片持梁の上方に押さえるように配置され、前記制御ロッドを押さえる時、前記弾性片持梁が下に押さえられ、前記弾性係合部と前記光ファイバーアダプターとが離脱する。
【０００８】
本発明の前記高密度光ファイバー接続用の光ファイバープラグにおいて、前記打ち上げばねの一方の端は前記フットストックに押し当て、他方の端は前記弾き出しロッドに押し当て、前記弾き出しロッドに係止部を有し、前記第２のキャビティの上壁にはストッパ部及び前記ストッパ部の前方に位置するリミットスライド溝を有し、前記係止部は前記ストッパ部に係止され、前記打ち上げばねは前記弾き出しロッドと前記フットストックとの間に圧縮され、前記制御ロッドを押さえる時、前記弾き出しロッドは下に向かって前記係止部を前記ストッパ部から離脱させ、前記弾き出しロッドは前記ばねの作用で前方に弾き出し、前記係止部は前記リミットスライド溝に滑り込む。
【０００９】
本発明の前記高密度光ファイバー接続用の光ファイバープラグにおいて、前記係止部の前記ストッパ部に対向している側は斜面である。
【００１０】
本発明の前記高密度光ファイバー接続用の光ファイバープラグにおいて、前記挿入コアアセンブリーは挿入コア調整ばねを含み、前記挿入コア調整ばねは挿入コアと前記フットストックとの間に位置し、前記挿入コア調整ばねは前記挿入コアに挿入された光ファイバーの外部を囲み覆う。
【００１１】
本発明の前記高密度光ファイバー接続用の光ファイバープラグにおいて、前記フットストックは前記ベースと係合され、前記フットストックに逆係合部が設置され、前記ベースに前記逆係合部と合わせる係合部が設けられる。
【００１２】
本発明の前記高密度光ファイバー接続用の光ファイバープラグにおいて、前記フットストックの先端は前方に延びる延長部を有し、前記延長部の先端には挿入コア調整ばねと合わせるばね座が設置されている。
【発明の効果】
【００１３】
本発明の高密度光ファイバー接続用の光ファイバープラグによれば、以下の有益な効果を奏している。本発明の光ファイバープラグにおいて、プラグの弾性係合部をトリガーする時、光ファイバープラグを光ファイバーアダプター中から自動的に弾き出すことができ、光ファイバープラグの幾何寸法の縮小による操作困難の課題を解決し、ジャンプ可能な高密度の光ファイバーの接続を実現することができる。
以下、図面及び実施例を参照して本発明を更に説明する。図面において、
【図面の簡単な説明】
【００１４】
【図１】図１は本発明の光ファイバープラグの第一の実施例の立体概略図である。
【図２】図２は本発明の光ファイバープラグの第一の実施例の断面図である。
【図３】図３は本発明の光ファイバープラグの第一の実施例の弾き出しロッドの弾き出す際の概略図である。
【図４】図４は本発明の光ファイバープラグの第一の実施例のベースの概略図である。
【図５】図５は本発明の光ファイバープラグの第一の実施例のベースの断面図である。
【図６】図６は本発明の光ファイバープラグの第一の実施例の弾き出しロッド及び制御ロッドの概略図である。
【図７】図７は本発明の光ファイバープラグの第一の実施例のフットストックの概略図である。
【図８】図８は本発明の光ファイバープラグの第一の実施例がマルチ挿入口のアダプターと合わせる概略図である。
【図９】図９は本発明の光ファイバープラグの第一の実施例がシングル挿入口のアダプターと合わせる概略図である。
【図１０】図１０は本発明の光ファイバープラグの第二の実施例の断面図である。
【図１１】図１１は本発明の光ファイバープラグの第二の実施例の弾き出しロッドの弾き出す際の概略図である。
【図１２】図１２は本発明の光ファイバープラグの第二の実施例のベースの断面図である。
【図１３】図１３は本発明の光ファイバープラグの第二の実施例のフットストックの概略図である。
【発明を実施するための形態】
【００１５】
本発明の技術特徴、目的及び効果をよりはっきり理解できるように、図面を参照して本発明の具体的な実施方式を詳しく説明する。
【００１６】
本発明の高密度光ファイバー接続用の光ファイバープラグは、主にジャンプ可能な高密度光ファイバーの接続時の光ファイバープラグの幾何寸法の減少による操作困難の課題を解決するためのものであり、この課題を解決するために、本発明は、下記の技術案を採用し、即ち、光ファイバープラグのプラグ本体は、光ファイバーアダプターと係合する弾性係合部を有し、プラグ本体はさらに弾性係合部をトリガーするとプラグ本体と光ファイバーアダプターとを離脱させるとともにトリガーされる弾き出しアセンブリーを有し、弾き出しアセンブリーは前記プラグ本体内に設置された打ち上げばねと弾き出しロッドを含み、弾き出しロッドは弾き出しアセンブリーがトリガーされるとプラグ本体内から弾き出され、弾き出しロッドは前記光ファイバーアダプターに押し当てて、プラグ本体を光ファイバーアダプター内から弾き出す。このように、光ファイバープラグの幾何寸法が縮小されても、手或いは工具（ねじ回しなど）で、プラグ本体の弾性係合部をトリガーして、光ファイバープラグを弾き出すことができ、操作に非常に便利である。
【００１７】
図１、図２及び図３に示すように、本発明の光ファイバープラグの第一の実施例であり、該光ファイバープラグはプラグ本体を含み、プラグ本体は、ベース１００及びベース１００の末端に接続されたフットストック２００を含み、ベース１００はその長手方向に沿って延びる第１のキャビティ１１０と第２のキャビティ１２０を有し、第１のキャビティ１１０と第２のキャビティ１２０は並列して設置され、ベース１００の先端の端面は、それぞれ第１のキャビティ１１０と第２のキャビティ１２０に対面する第１の貫通孔１１１と第２の貫通孔１２１を有し、第１のキャビティ１１０は挿入コアアセンブリーを収納し、挿入コアアセンブリーの挿入コア３１０は第１の貫通孔から伸び出し、第２のキャビティ１２０は弾き出しアセンブリーを収納し、弾き出しアセンブリーは弾き出しロッド４１０と打ち上げばね４２０を含み、弾き出しロッド４１０は弾き出しアセンブリーがトリガーされると、第２の貫通孔１２１から弾き出される。光ケーブル５００はフットストック２００からベース１００内に入り、外側のカバーをはぎ取った光ファイバー５１０は挿入コア３１０に導入され、ベア光ファイバー５２０は挿入コア３１０中に挿入される。挿入コア３１０に自ずからその状態に適応的に調整させるため、挿入コアアセンブリーはさらに挿入コア調整ばね３２０を含み、挿入コア調整ばね３２０は挿入コア３１０とフットストック２００との間に位置しており、挿入コア調整ばね３２０は挿入コア３１０に挿入された光ファイバー５１０の外部を囲み覆う。
【００１８】
図４、図５及び図６を参照して、プラグ本体のベース上に弾性係合部１３０を有し、弾性係合部１３０は第２のキャビティ１２０の上方に位置し、弾性係合部１３０は対向して設置された２つの弾性片持梁１３１を含み、弾性片持梁１３１の末端は斜面１３２付き突起１３３を有し、弾き出しアセンブリーはさらに弾き出しロッド４１０と一体に接続する制御ロッド４３０を含み、制御ロッド４３０は２つの弾性片持梁１３１の間に位置し、制御ロッド４３０は制御ロッド４３０の長手方向に垂直する横ロッド４３１を有し、横ロッド４３１は弾性片持梁１３１の上方に押さえるように配置され、制御ロッド４３０を押さえる時、弾性片持梁１３１は下に押さえられ、弾性係合部１３０と光ファイバーアダプターとが離脱する。
【００１９】
弾き出しアセンブリーの打ち上げばね４２０の一方の端はフットストック２００に押し当て、他方の端は弾き出しロッド４１０に押し当て、具体的に、打ち上げばね４２０の一方の端はフットストック２００の凸柱２１０を囲み覆い、他方の端は弾き出しロッド４１０を囲み覆い、制御ロッド４３０により位置がリミットされ、実際には、弾き出しロッド４１０上にリミット階段を設けてもよく、弾き出しロッド４１０上には係止部４１１を有し、第２のキャビティ１２０の上壁はストッパ部１２２及びストッパ部１２２の前方に位置するリミットスライド溝１２３を有し、係止部４１１はストッパ部１２２に係止され、打ち上げばね４２０は弾き出しロッド４１０とフットストック２００との間に圧縮され、制御ロッド４３０を押さえる時、弾き出しロッド４１０は下に向かって係止部４１１をストッパ部１２２から離脱させ、弾き出しロッド４１０は打ち上げばね４２０の作用で前方に弾き出され、係止部４１１はリミットスライド溝１２３に滑り込む。弾き出しロッド４１０のリセットを便利にするため、係止部４１１の前記ストッパ部１２２に対向する側は斜面４１２である。弾き出しロッド４１０の下への移動を便利にするため、弾き出しロッド４１０の下側に溝４１３を設ける。
【００２０】
図１、図５及び図７を参照して、本実施例中において、フットストック２００はベース１００と係合し、フットストック２００上に逆係合部２０１が設置され、ベース１００上に逆係合部２０１と合わせる係合部１０１が設けられる。フットストック２００とベース１００との接続を便利にするために、フットストック２００は位置決め溝２０２を有し、ベース１００に位置決め溝２０２と合わせるバンプ１０２がある。光ケーブル５００は熱収縮絶縁チューブ６００を介してフットストックに固定される。
【００２１】
以上、図面を参照して本発明の光ファイバープラグの内部構成を詳しく説明したが、以下、図面を参照して本発明の光ファイバープラグがどのように動作するのかを説明する。
【００２２】
図１に示すように、正常状態の光ファイバープラグであり、光ファイバープラグが光ファイバーアダプターに挿入された時、弾性係合部１３０の突起１３３はアダプターの係合位置に係合され、光ファイバープラグを抜き出す必要がある時、制御ロッド４３０を押さえ、横ロッド４３１は下に向かって弾性係合部１３０を押さえ、光ファイバープラグとアダプターとを離脱させ、弾き出しロッド４１０の係止部４１１はストッパ部１２２から離脱し、弾き出しロッド４１０は打ち上げばね４２０の作用で弾き出され、弾き出しロッド４１０は光ファイバーアダプターに押し当てて光ファイバープラグをアダプターから退出させ、弾き出しロッド４１０が弾き出された状態は図３のように示されており、弾き出しロッド４１０をベース１００内に押し戻すことによって、弾き出センブリーのリセットを実現することができる。
【００２３】
図８と図９は本発明の光ファイバープラグと光ファイバーアダプターが合わせる概略図を示し、本発明の光ファイバープラグは光ファイバープラグの幾何寸法を減少させて、さらなる高密度の光ファイバー接続を実現することができる。例えば、図８に示す光ファイバーアダプターの取り付け位置は元来多くても２つのプラグを収納できるが、本発明の光ファイバープラグを採用すれば、４つの光ファイバープラグを収納でき、容量を倍増させ、且つ設備の内部構成を変更する必要がなく、光ファイバーアダプターの取り付け寸法は元の取り付け寸法と一致している。
【００２４】
図１０、図１１に示すのは、本発明の光ファイバープラグの第二の実施例であり、該実施例は第一の実施例のベースをさらに改良した。第一の実施例と比べて、第二の実施例におけるプラグ本体のベース１００の長さを長手方向にさらに延長して、第１のキャビティ１１０と第２のキャビティ１２０の長さをともに増加させる。これにより、挿入コア３１０から固定光ファイバーのフットストック２００までの距離を延長し、光ファイバープラグがアダプターに挿入される時、挿入コア３１０が抵抗を受けて後退する際、光ファイバーは長い距離によって湾曲変形を緩和し、湾曲半径が小さすぎるため光ファイバーの性能に影響することを避けるというメリットがある。図１３を参照して、挿入コア調整ばね３２０もそれに従って延長することを避け、コストを節約するため、フットストック２００の構成も改良している。具体的には、フットストック２００の先端から延びて延長部２４０を形成し、延長部２４０に長溝が開口され、光ファイバー５１０は長溝に沿って前へ延長し、延長部２４０の先端には挿入コア調整ばねの固定座２４１を形成し、該固定座２４１はバンプであり、その上にばね用鋼線を挿入できる孔を有し、挿入コア調整ばね３２０の端部のばね用鋼線を折り曲げて該孔に挿入し、このようにして挿入コア調整ばね３２０のフットストック２００上での固定を実現できる。
【００２５】
図１２を参照し、本実施例において、弾き出しロッド４１０の組み立てを便利にするため、第２のキャビティ１２０の底部におけるリミットスライド溝１２３とストッパ部１２２に対向する箇所を斜面１２４として設置する。
【００２６】
本実施例の他の構成は第一の実施例の構成と同じであり、省略する。
【００２７】
本発明の光ファイバープラグにおいて、プラグの弾性係合部をトリガーする時、光ファイバープラグを光ファイバーアダプターから自動的に弾き出すことによって、光ファイバープラグの幾何寸法の縮小による操作困難の課題を解決し、ジャンプ可能な高密度の光ファイバーの接続を実現することができる。
【００２８】
以上、図面を参照して本発明の実施例を説明したが、本発明は前記具体的な実施形態に限らず、前記具体的な実施形態は本発明に対する説明に過ぎず、本発明を制限するものではなく、本領域の普通の技術者は本発明の示唆の下で、本発明の主旨及び請求の範囲が保護する範囲から脱逸しない場合、さらに様々な形式を創作でき、これらが本発明の保護範囲にあるのは勿論である。
【図１】
0005451946.tif 000002
【図２】
0005451946.tif 000003
【図３】
0005451946.tif 000004
【図４】
0005451946.tif 000005
【図５】
0005451946.tif 000006
【図６】
0005451946.tif 000007
【図７】
0005451946.tif 000008
【図８】
0005451946.tif 000009
【図９】
0005451946.tif 000010
【図１０】
0005451946.tif 000011
【図１１】
0005451946.tif 000012
【図１２】
0005451946.tif 000013
【図１３】
0005451946.tif 000014